(57)【要約】【課題】物品の管理が容易であるとともに、物品の取出し性に優れた箱型容器用保持具が得られる。【解決手段】相互に対向する一対の側面を備えた箱型容器に取り付けられる箱型容器用保持具１である。箱型容器用保持具１は、少なくとも一部が弾性部材で形成され、一対の側面に挟持可能な保持具本体１０と、保持具本体１０に収容された永久磁石体３０と、を備えた構成とした。【選択図】図２
2020103252.tif 000002
【特許請求の範囲】
【請求項１】
相互に対向する一対の側面を備えた箱型容器に取り付けられる箱型容器用保持具であって、
少なくとも一部が弾性部材で形成され、前記一対の側面に挟持可能な保持具本体と、
前記保持具本体に収容された永久磁石体と、を備えたことを特徴とする箱型容器用保持具。
【請求項２】
前記保持具本体には、前記各側面に当接して弾性変形する突部が形成されていることを特徴とする請求項１に記載の箱型容器用保持具。
【請求項３】
前記保持具本体の外面には、スリットが形成されていることを特徴とする請求項１または請求項２に記載の箱型容器用保持具。
【請求項４】
前記保持具本体に形成され、前記永久磁石体を収容する収容室と、
前記保持具本体の外面に形成され、前記収容室に連通する開口部と、
前記開口部を塞ぐ蓋体と、を備えたことを特徴とする請求項１から請求項３のいずれか１項に記載の箱型容器用保持具。
【請求項５】
前記収容室の底部側の厚みおよび前記収容室の蓋体側の厚みのうち、一方の厚みは肉厚であり、他方の厚みは肉薄であることを特徴とする請求項４に記載の箱型容器用保持具。
【請求項６】
前記保持具本体の外面には、前記保持具本体内における前記永久磁石体の位置を特定するためのマークが付されていることを特徴とする請求項５に記載の箱型容器用保持具。
【請求項７】
前記収容室を形成している内面のうち、少なくとも前記蓋体に接触する内面には、溝部が形成されていることを特徴とする請求項４から請求項６のいずれか１項に記載の箱型容器用保持具。
【発明の詳細な説明】
【技術分野】
【０００１】
本発明は、箱型容器用保持具に関する。
【背景技術】
【０００２】
従来、釣用の物品として例えばウキを個別収納できる箱型容器が知られている（例えば、特許文献１参照）。特許文献１では、ケース本体に間仕切が設けられているとともに、ケース本体の底部および蓋体の両内面にクッション材が取り付けられている。
【先行技術文献】
【特許文献】
【０００３】
【特許文献１】特開２０００−１５７１３３号公報
【発明の概要】
【発明が解決しようとする課題】
【０００４】
ところで、釣用の物品は、紛失することを防ぐために、ケースに入れたり袋に入れたりして管理していることが多い。一方、このような物品の管理では、実釣時等にケースや袋を開けて中からいちいち物品を取り出す必要があるため、使い勝手が悪いという課題があった。
この場合、必要な物品を予め中から取り出しておく対応も考えられるが、そうすると釣り場で物品を紛失するリスクが高まる。
【０００５】
本発明は、物品の管理が容易であるとともに、物品の取出し性に優れた箱型容器用保持具を提供することを課題とする。
【課題を解決するための手段】
【０００６】
このような課題を解決する本発明の箱型容器用保持具は、相互に対向する一対の側面を備えた箱型容器に取り付けられる箱型容器用保持具である。箱型容器用保持具は、少なくとも一部が弾性部材で形成され、前記一対の側面に挟持可能な保持具本体と、前記保持具本体に収容された永久磁石体と、を備えている。
【０００７】
本発明では、保持具本体の少なくとも一部が弾性変形することを利用して、保持具本体を一対の側面間に押し込んで箱型容器に取り付けることができる。そして、永久磁石体の磁力によって取付け取外し可能に物品を保持具本体に吸着させることで、箱型容器に物品を保持させることができる。したがって、物品の管理が容易であるとともに、物品の取出し性に優れている。
【０００８】
また、前記保持具本体には、前記各側面に当接して弾性変形する突部が形成されていることが好ましい。このように構成することによって、側面に突部が押圧され、保持具本体の保持性が高まる。
【０００９】
また、前記保持具本体の外面には、スリットが形成されていることが好ましい。このように構成することによって、一対の側面によって形成される収容スペースの大きさに応じて、スリットが適度に閉じる。したがって、収容スペースの大きさが違っても所望の取り付け固定力が得られる。
【００１０】
また、前記保持具本体に形成され、前記永久磁石体を収容する収容室と、前記保持具本体の外面に形成され、前記収容室に連通する開口部と、前記開口部を塞ぐ蓋体と、を備えていることが好ましい。このように構成することによって、保持具本体内に永久磁石体を容易に収容できる。また、蓋体を取り外し可能に構成することで、収容室に対する永久磁石体の出し入れも可能となる。これによって、異なる磁力の永久磁石体に取り替えることも可能である。
【００１１】
また、前記収容室の底部側の厚みおよび前記収容室の蓋体側の厚みのうち、一方の厚みは肉厚であり、他方の厚みは肉薄であることが好ましい。このように構成することによって、収容室の底部側または収容室の蓋体側に永久磁石体を配置できるので、一対の側面に対する保持具本体の配置向きを変更することで、磁力の強弱が可変される。これによって、使い勝手が向上する。
【００１２】
また、前記保持具本体の外面には、前記保持具本体内における前記永久磁石体の位置を特定するためのマークが付されていることが好ましい。このように構成することによって、マークを目視することで、保持具本体における磁力の強い側または磁力の弱い側を見極めることができる。したがって、使い勝手が向上する。
【００１３】
また、前記収容室を形成している内面のうち、少なくとも前記蓋体に接触する内面には、溝部が形成されていることが好ましい。このように構成することによって、収容室内に接着剤を用いて蓋体を固定する場合に、溝部内に浸入した余分な接着剤によってアンカー効果が得られる。これによって蓋体の接着強度が向上する。
【発明の効果】
【００１４】
本発明では、物品の管理が容易であるとともに、物品の取出し性に優れた箱型容器用保持具が得られる。
【図面の簡単な説明】
【００１５】
【図１】本発明の第１実施形態に係る箱型容器用保持具を示す斜視図である。
【図２】同じく箱型容器用保持具の下面を上側にして示す分解斜視図である。
【図３】同じく箱型容器用保持具を示す図であり、（ａ）は上面図、（ｂ）は正面図、（ｃ）は側面図、（ｄ）は下面図である。
【図４】同じく箱型容器用保持具の下面を上側にして示す縦断面図である。
【図５】同じく図４のＩＶ−ＩＶ線に沿う断面において永久磁石体を取り外した状態の収容室を示す横断面図である。
【図６】同じく箱型容器用保持具の使用例を示す斜視図である。
【図７】同じく箱型容器用保持具の使用例を示す斜視図である。
【図８】本発明の第１実施形態に係る箱型容器用保持具の第１変形例を示す斜視図である。
【図９】同じく箱型容器用保持具の第２変形例を示す斜視図である。
【図１０】本発明の第２実施形態に係る箱型容器用保持具を示す分解斜視図である。
【図１１】同じく箱型容器用保持具を示す図であり、（ａ）は上面図、（ｂ）は側面図、（ｃ）は収容室を示す横断面図である。
【図１２】同じく図１１（ａ）のＸＩ−ＸＩ線に沿う断面において収容室に永久磁石体が収容された状態を示す縦断面図である。
【図１３】同じく図１１（ａ）のＸＩ−ＸＩ線に沿う断面において収容室に永久磁石体が収容されていない状態を示す縦断面図である。
【図１４】本発明の第３実施形態に係る箱型容器用保持具の取付体を示す図であり、（ａ）は上面図、（ｂ）は正面図である。
【図１５】同じく箱型容器用保持具の使用例を示す一部断面斜視図である。
【図１６】本発明の第４実施形態に係る箱型容器用保持具を示す図であり、（ａ）は平面図、（ｂ）は箱型容器用保持具の使用例を示す正面図である。
【図１７】（ａ）〜（ｅ）は箱型容器用保持具のその他の変形例を示す斜視図である。
【発明を実施するための形態】
【００１６】
以下、本発明に係る箱型容器用保持具の実施形態について図面を参照して説明する。以下の各実施形態において、同一の部分には同一の符号を付し、重複する説明は省略する。以下の説明において「上下」を言うときは、図１に示した方向を基準とする。
【００１７】
（第１実施形態）
図１に示すように、箱型容器用保持具１は、保持具本体１０と、保持具本体に１０に形成された収容室２０（図２参照）と、収容室２０に収容された永久磁石体３０（図２参照）と、蓋体４０（図２参照）と、を備えている。
【００１８】
保持具本体１０は、前面１１、後面１２、左面１３、右面１４、上面１５および下面１６を備えている。保持具本体１０および蓋体４０は、弾性変形可能な部材、例えば、高硬度のゴム部材や樹脂部材で形成されている。
【００１９】
前面１１、後面１２、左面１３、右面１４の各面は、図３各図に示すように、上下方向の中央部に向けて山形に緩やかに傾斜している。つまり、各面の上下方向の中央部は、側方に向けて突出している。
【００２０】
保持具本体１０は、前面１１および後面１２が内部に向かって中央部が窪み、湾曲凹状にくびれた略直方体形状を呈している。よって、前面１１の左部と右部とには、突部１１ａ，１１ｂが形成されている。また、後面１２の左部と右部とには、突部１２ａ，１２ｂが形成されている。
各突部１１ａ，１１ｂ，１２ａ，１２ｂは、後記する箱型容器１００（図６，図７参照）の一対のリブ１２１，１２１の各側面に当接して弾性変形可能である。
【００２１】
左面１３および右面１４には、上下方向に延在するスリット１７が形成されている。スリット１７は、左面１３および右面１４に計３本ずつ形成されている。各面においてスリット１７は、等間隔で形成されている。スリット１７を形成することによって、左面１３および右面１４は、前後方向に弾性変形（短縮）し易くなっている。
【００２２】
上面１５の中央部には、マークＭ１が凹設されている。上面１５は、マークＭ１を除いた部分が平らに形成されている。
【００２３】
下面１６には、図２に示すように、収容室２０の外部に連通する開口部２０ａが開口している。収容室２０は、保持具本体１０の内側に、底壁２２と内壁２３とで画成される直方体形状の空間部を形成することで設けられている。収容室２０内には、永久磁石体３０と蓋体４０とが収容される。
【００２４】
収容室２０は、図４に示すように、窪み方向に深く形成されており、収容室２０の底壁２２の下面に永久磁石体３０の上面３１を当接させると、永久磁石体３０は、保持具本体１０の中心部Ｏ１に対して上面１５側に偏位した位置に配置されることとなる。
【００２５】
収容室２０の内壁２３のうち、蓋体４０が接触する内壁２３には、所定の間隔を空けて複数の溝部２１が形成されている（図２参照）。溝部２１同士は、部分的に交差している。
また、内壁２３は、図４に示すように、収容された蓋体４０に対応する部分が開口部側に向けて拡がるテーパ状に形成されている。
【００２６】
永久磁石体３０は、収容室２０の底壁２２側（図４参照）に収まる略直方体形状を呈している。また、蓋体４０は、永久磁石体３０に続いて収容室２０に収容される、外形状が略直方体形状を呈している。
【００２７】
蓋体４０の下面４１は、保持具本体１０の下面１６と略面一である。蓋体４０の下面４１の中央部には、マークＭ２が凸設されている。下面４１は、マークＭ２を除いた部分が平らに形成されている。蓋体４０は、底壁２２よりも厚く形成されており、収容室２０内において底壁２２との間に永久磁石体３０を挟持する役割をなす。
これによって、マークＭ２が凸設されている下面１６は、マークＭ１が凹設されている上面１５がよりも磁力が弱くなっている。したがって、使用者は、マークＭ１，Ｍ２を目視することで、磁力の強弱を認識できる。
蓋体４０の側面４２は、収容室２０の内壁２３に対応してテーパ状に形成されている。
【００２８】
蓋体４０の内側には、蓋体４０の上面４３に開口する２つの凹部４４，４４が形成されている。蓋体４０の上面４３は、永久磁石体３０の下面３２に当接している。
蓋体４０は、収容室２０内に接着剤で固定してもよいし、収容室２０に着脱可能に嵌まり込むように構成してもよい。
【００２９】
次に、図６，図７を参照して箱型容器用保持具１の使用例について説明する。
図６に示すように、箱型容器用保持具１を取り付けるための箱型容器１００は、本体部１１０と、本体部１１０に開閉自在に設けられた蓋部１２０とを備えている。蓋部１２０の内側には、箱型容器用保持具１の取り付けを可能とする複数のリブ１２１が所定の間隔を空けて立設されている。箱型容器１００は、釣り用のタックルケースとして用いられる。
【００３０】
箱型容器用保持具１を取り付ける際には、対向する複数のリブ１２１，１２１のうち、任意のリブ１２１，１２１を選び、これらの間に手指で押し込む。そうすると、箱型容器用保持具１の突部１１ａ，１１ｂ，１２ａ，１２ｂが対向するリブ１２１の側面にそれぞれ当接して保持具本体１０が弾性変形し、リブ１２１，１２１間に箱型容器用保持具１が脱落不能に保持される。
【００３１】
この場合、箱型容器用保持具１の上面１５を本体部１１０側に向けることで、磁力の強い上面１５が蓋部１２０の内側に露出するので、工具等の大きく重量のあるプライヤー等の物品Ｂ２を、蓋部１２０の内側に吸着して配置できる。
【００３２】
また、これとは反対に、箱型容器用保持具１の上面１５を蓋部１２０の天板１２２に向けることで、磁力の弱い下面１６が蓋部１２０の内側に露出するので、針やスプリントリング等の小さい物品Ｂ１を、蓋部１２０の内側に吸着して配置できる。
【００３３】
また、このように、箱型容器用保持具１の上面１５を蓋部１２０の天板１２２に向けることで、図７に示すように、天板１２２の上面側にプライヤー等の物品Ｂ２を直接保持できる。
【００３４】
以上説明した本実施形態の箱型容器用保持具１では、一対のリブ１２１，１２１間に取り付けることができ、永久磁石体３０の磁力によって、取付け取外し可能に物品Ｂ１，物品Ｂ２を保持具本体１０に吸着させることで、箱型容器１００の蓋部１２０に物品Ｂ１，Ｂ２を保持させることができる。したがって、物品Ｂ１，Ｂ２の管理が容易であるとともに、物品Ｂ１，Ｂ２の取出し性に優れている。
なお、箱型容器用保持具１は、取り外して何回も使用できる。
【００３５】
また、保持具本体１０の取付時に一対のリブ１２１，１２１の側面に突部１１ａ，１１ｂ，１２ａ，１２ｂが押圧されるので、保持性が高まる。したがって、使用時に船の振動等を受けても簡単に脱落することがない。
【００３６】
また、保持具本体１０の取付時には、一対のリブ１２１，１２１間の大きさ（収容スペースの大きさ）に応じて、スリット１７が適度に閉じる（保持具本体１０が圧縮される）。したがって、収容スペースの大きさが違っても所望の取り付け固定力が得られる。
また、多様な収容スペースに取り付けることもできる。
【００３７】
また、収容室２０が設けられているので、永久磁石体３０を容易に収容できる。また、蓋体４０を取り外し可能に構成することで、永久磁石体３０の出し入れも可能である。これによって、異なる磁力の永久磁石体３０に取り替えることも可能である。
【００３８】
また、収容室２０の底壁２２側（保持具本体１０の中心部Ｏ１から偏位した位置）に永久磁石体３０が配置されるので、一対のリブ１２１，１２１に対する保持具本体１０の配置向きを変更することで、磁力の強弱が可変される。これによって、使い勝手が向上する。
また、収容室２０に収容された永久磁石体３０が錆び難い。
【００３９】
また、マークＭ１，Ｍ２を目視することで、保持具本体１０における磁力の強い側または磁力の弱い側を容易に見極めることができる。したがって、使い勝手が向上する。
【００４０】
また、収容室２０の内壁２３のうち、少なくとも蓋体４０に接触する内壁２３には、溝部２１が形成されているので、収容室２０内に接着剤を用いて蓋体４０を固定する場合に、溝部２１内に浸入した余分な接着剤によってアンカー効果が得られる。これによって蓋体４０の接着強度が向上する。
【００４１】
図８，図９に第１実施形態の変形例としての箱型容器用保持具２，３を示す。
図８に示す第１変形例の箱型容器用保持具２は、第１実施形態のものに比べて保持具本体１０を左右方向に長く形成したものである。保持具本体１０の前面１１の左右側方部および後面１２の左右側方部には、スリット１７ａがそれぞれ形成されている。また、左面１３および右面１４において、中央部に位置するスリット１７の切り込み深さを深く形成している。
【００４２】
図９に示す第２変形例の箱型容器用保持具３は、第１実施形態のものに比べて保持具本体１０を前後方向に長く形成したものである。この箱型容器用保持具３においても、保持具本体１０の前面１１の左右側方部および後面１２の左右側方部に、スリット１７ａがそれぞれ形成されている。また、左面１３の前後側方部および右面１４の前後側方部にも、スリット１７ｂがそれぞれ形成されている。左面１３および右面１４において、中央部に位置する３つのスリット１７の切り込み深さを深く形成している。
【００４３】
図８，図９に示す箱型容器用保持具２，３においても、第１実施形態と同様の作用効果が得られる。また、スリット１７ａを利用して保持具本体１０を左右方向に圧縮させることができ、収容スペースの大きさが違っても所望の取り付け固定力が得られる。
【００４４】
（第２実施形態）
図１０〜図１３を参照して第２実施形態の箱型容器用保持具１Ａについて説明する。本実施形態が前記第１実施形態と異なるところは、前面１１および後面１２を貫通するように収容室２０Ａが形成されている点である。
【００４５】
収容室２０Ａは、前面１１および後面１２を前後方向に貫通する貫通孔を設けることで形成されている。収容室２０Ａは、保持具本体１０Ａの上部側に設けられており、貫通方向から見て略矩形状の形状となっている。
【００４６】
収容室２０Ａの開口部２０ａは、永久磁石体３０の形状に対応して、左右方向に長く上下方向に短い長方形状を呈している。開口部に連続する収容室２０Ａの内側面２４は、永久磁石体３０の対応する外形状よりも一回り小さく形成されている。したがって、永久磁石体３０の挿入時には、ゴム部材の弾性を利用して、開口部と内側面２４とを上下左右方向に押し広げるようにする。
【００４７】
収容室２０Ａの前後方向の中央部には、図１１（ｃ），図１２，図１３に示すように、段差部２５を境にして永久磁石体３０が嵌まり込む凹状部２６が形成されている。凹状部２６に連続する開口部２０ａ側は、上下幅および左右幅が狭くなっているので、永久磁石体３０は、凹状部２６に嵌まり込むことで、保持具本体１０Ａの外部に脱落し難くなっている。なお、挿入後に永久磁石体３０を収容室２０Ａから取り外す場合には、保持具本体１０Ａの弾力性を利用して、開口部および内側面２４を押し広げることにより行う。
なお、収容室２０Ａの内側面２４に嵌まり込む蓋体を設けてもよい。また、内側面２４に第１実施形態で説明した溝部２１を形成してもよい。
【００４８】
本実施形態では、前記第１実施形態で説明した作用効果と同様の作用効果が得られる。
また、構造が簡単であるため生産性に優れる。また、収容室２０Ａの凹状部２６に永久磁石体３０が嵌まり込む構造であるため、永久磁石体３０の組付性に優れる。
【００４９】
（第３実施形態）
次に、図１４，図１５を参照して第３実施形態について説明する。本実施形態は、前記第１，第２実施形態とは異なる手段による箱型容器用保持具１の保持を例示している。具体的に、本実施形態では、取付部材３００を用いている。
【００５０】
図１４（ａ）（ｂ）に示すように、取付部材３００は、取付領域部３０１と、保持部３０２とを備えている。取付領域部３０１は、箱型容器用保持具１を取り付けるための領域である。取付領域部３０１は、四角枠部３１０と、四角枠部３１０の内側に形成されたリブ３１２とを備えている。
取付領域部３０１は、四角枠部３１０の側面３１１と、これに対向するリブ３１２の側面３１３とで仕切られた複数の収納スペース３２０を備えている。各収納スペース３２０内には、箱型容器用保持具１を取付可能である。
【００５１】
取付部３０２は、箱型容器１００の蓋部１２０の内側に取付部材３００を取り付けるための取付手段として機能する。取付部３０２は、ゴム部材から形成され、伸長方向に付勢された蛇腹状を呈している。取付部３０２の両端面３０３は、箱型容器１００の蓋部１２０の内面１２３（図１５参照）に当接して、取付部材３００を蓋部１２０に位置決めする。
【００５２】
以上のような取付部材３００は、図１５に示すように、箱型容器１００の蓋部１２０の内側に取り付けられる。取付部材３００の取付時には、両取付保持部３０２，３０２の付勢力を利用して蓋部１２０の対向する内面１２３，１２３に両取付保持部３０２，３０２の端面３０３を押し当てる。これによって、蓋部１２０の対向する内面１２３，１２３に支持されて蓋部１２０に取付部材３００が取り付けられる。
【００５３】
取付後、取付部材３００の収納スペース３２０に箱型容器用保持具１を取り付ける。これによって、蓋部１２０の内側にリブ等が形成されていない箱型容器１００に対して、箱型容器用保持具１が配置される。
なお、取付部材３００は、箱型容器１００の本体部１１０の対向する内側面に取り付けることも可能である。
【００５４】
（第４実施形態）
次に、図１６を参照して第４実施形態の箱型容器用保持具４００について説明する。本実施形態は、箱型容器１００の蓋部１２０の対向する内面１２３，１２３に亘って箱型容器用保持具４００が保持されるものである。
【００５５】
箱型容器用保持具４００は、図１６（ａ）（ｂ）に示すように、保持具本体４０１と、永久磁石体３０と、取付部４０２とを備えている。保持具本体４０１は、箱型容器１００の蓋部１２０の天面１２４に沿って配置可能な厚み（上下方向の厚み）を備えている。永久磁石体３０は、保持具本体４０１の長手方向の中央部に埋設されている。なお、永久磁石体３０は、保持具本体４０１の長手方向に複数個設けてもよい。また、永久磁石体３０は、磁力の異なるものや大きさの異なるものを複数種類埋設してもよい。
【００５６】
取付部４０２は、蓋部１２０の側面としての内面１２３から天面１２４に亘って折曲可能であり、内面１２３に対して取着可能である。取付部４０２が内面１２３に取着されることで、保持具本体４０１は、蓋部１２０の天面１２４に略密着する状態に取り付けられる。
【００５７】
本実施形態では、蓋部１２０の対向する内面１２３，１２３に亘って箱型容器用保持具４００を直接取り付けることができる。したがって、蓋部１２０の内側にリブが形成されていない蓋部１２０に対しても箱型容器用保持具４００を配置することができる。
なお、箱型容器用保持具４００は、箱型容器１００の本体部１１０の対向する内側面に亘って取り付けることも可能である。
【００５８】
以上、本発明の実施形態について説明したが、本発明は、上記した実施形態に限定されることはなく、種々変形することが可能である。
例えば、図１７の各図に示すように、種々の形態を採り得る。図１７（ａ）に示す箱型容器用保持具１Ｂは、保持具本体１０Ｂが上面視で断面略Ｔ字形状を呈している。保持具本体１０Ｂは、側方に突出する一対の突部（角部）１０ｆ，１０ｆを備えている。
【００５９】
また、図１７（ｂ）に示す箱型容器用保持具１Ｃは、保持具本体１０Ｃが上面視で断面略小判形状を呈している。保持具本体１０Ｂは、径方向に突出する複数の突部１０ｆを備えている。突部１０ｆは、前後方向および左右方向（相互に直交する方向）に突出しており、前後方向に対向する側面（リブ）および左右方向に対向する側面（リブ）のそれぞれに当接可能である。なお、突部１０ｆは、いずれか一つの方向の対向する側面に当接するものであってもよい。
【００６０】
また、図１７（ｃ）に示す箱型容器用保持具１Ｄは、保持具本体１０Ｄの各角部に設けられる突部１０ｆが前後方向および左右方向（二方向）に突出しており、前後方向に対向する側面（リブ）および左右方向に対向する側面（リブ）のそれぞれに当接可能である。なお、突部１０ｆは、いずれか一つの方向の対向する側面に当接するものであってもよい。
【００６１】
また、図１７（ｄ）に示す箱型容器用保持具１Ｅは、保持具本体１０Ｅが筒状を呈している。この場合、図示しない永久磁石体３０は、保持具本体１０Ｅの中空を形成する内周面１０ｇに配置してもよいし、筒状の壁部内に配置してもよい。保持具本体１０Ｅの外面は、前後方向に対向する側面（リブ）および左右方向に対向する側面（リブ）のそれぞれに当接可能である。なお、保持具本体１０Ｅの外面は、いずれか一つの方向の対向する側面に当接するものであってもよい。
【００６２】
また、図１７（ｅ）に示す箱型容器用保持具１Ｆは、保持具本体１０Ｆがラック状を呈している。保持具本体１０Ｆには、一方向の面に切り込み１７が複数形成されて複数の突部１８が形成されている。切り込み１７および突部１８の数は任意に設定することができる。
以上のような図１７の各図に示す変形例においても、第１実施形態で説明した作用効果と同様の作用効果が得られる。
【００６３】
また、前記各実施形態では、箱型容器として釣り用のタックルケースを例にして説明したが、これに限られることはなく、各種容器、例えば、工具箱等に対しても好適に用いることができる。
【００６４】
また、前記第１実施形態では、収容室２０の底壁２２側（下面１６側）に永久磁石体３０を配置したものを示したが、これに限られることはなく、収容室２０の蓋体４０側に永久磁石体３０を配置してもよい。
【符号の説明】
【００６５】
１            箱型容器用保持具
１Ａ〜１Ｆ    箱型容器用保持具
１０          保持具本体
１０Ａ〜１０Ｆ  保持具本体
１０ｆ    突部
１１ａ    突部
１１ｂ    突部
１２ａ    突部
１２ｂ    突部
１７      スリット
１７ａ    スリット
１７ｂ    スリット
１８      突部
２０      収容室
２０Ａ    収容室
２１      溝部
２２      底部
３０      永久磁石体
４０      蓋体
Ｏ１      中心部
Ｍ１，Ｍ２  マーク
Ｏ１    中心部
【図１】
2020103252.tif 000003
【図２】
2020103252.tif 000004
【図３】
2020103252.tif 000005
【図４】
2020103252.tif 000006
【図５】
2020103252.tif 000007
【図６】
2020103252.tif 000008
【図７】
2020103252.tif 000009
【図８】
2020103252.tif 000010
【図９】
2020103252.tif 000011
【図１０】
2020103252.tif 000012
【図１１】
2020103252.tif 000013
【図１２】
2020103252.tif 000014
【図１３】
2020103252.tif 000015
【図１４】
2020103252.tif 000016
【図１５】
2020103252.tif 000017
【図１６】
2020103252.tif 000018
【図１７】
2020103252.tif 000019